(57)【要約】【課題】  内部に流入した液冷媒の液面が上昇した場合でも、簡易に液冷媒と導通端子部４８との接触を防止し、短絡を防ぐ事が可能な密閉型電動圧縮機１００を提供する事。【解決手段】  密閉型容器１０内に、圧縮機部２０と、電動モータ部３０と、導電端子部４８および端子ケース４２からなる接続部４０とを収容してなる密閉型電動圧縮機１００であって、端子ケース４２を密閉容器１０の内壁に気密に固定し、導電端子部４８が配置される位置よりも、下方に向かって所定の長さの位置に、密閉容器１０の内部と連通し、所定の微小面積以下の面積で開口する端子ケース孔４９を形成する。これにより、密閉容器１０内に流入した液冷媒の液面が端子ケース４２に接近しても、端子ケース４２内部の気圧により、液冷媒の端子ケース４２内への侵入を防ぐ事が可能になるので、簡易に液冷媒と導通端子部４８との接触および短絡を防ぐ事が可能となる。【選択図】図２
2005023934.tif 000002
【特許請求の範囲】
【請求項１】
密閉容器と、前記密閉型容器内に、冷媒を圧縮する圧縮機部と、前記圧縮機部を駆動する電動モータ部と、前記電動モータ部を前記密閉容器外の電気回路と接続する導電端子部、および前記導電子端部を、耐冷媒性および耐油性のある素材で覆う端子ケースからなる接続部とを収容してなる密閉型電動圧縮機であって、
前記端子ケースは、前記密閉容器の内壁に気密に固定されるとともに、前記導電端子部が配置される位置よりも、下方に向かって所定の長さの位置に、前記密閉容器の内部と連通し、所定の微小面積以下の面積で開口した開口部が形成される事を特徴とする密閉型電動圧縮機。
【請求項２】
前記所定の微小面積は、前記端子ケースの容積１２００ｍｍ３に対して２ｍｍ２以下であることを特徴とする請求項１に記載の密閉型電動圧縮機。
【請求項３】
前記開口部は、前記導通端子部の位置よりも、下方に向かって所定の長さの側面に形成される事を特徴とする請求項１または２に記載の密閉型電動圧縮機。
【請求項４】
前記密閉容器は、前記端子ケースを上方と下方とから挟み込むように形成される事を特徴とする請求項１乃至３のいずれかに記載の密閉型電動圧縮機。
【請求項５】
前記端子ケースの上面と、前記密閉容器の内壁との間に、弾性体を挟み込み、気密に固定する事を特徴とする請求項１乃至４のいずれかに記載の密閉型電動圧縮機。
【請求項６】
前記弾性体に、前記端子ケースを左右方向から挟み込むロック機構が形成される事を特徴とする請求項５に記載の密閉型電動圧縮機。
【請求項７】
前記導電端子部を構成する導通引き出し用のピンに、Ｏリングを挿通し、前記Ｏリングを、前記弾性体と、前記端子ケースとの間の位置に配置する事を特徴とする請求項５または６に記載の密閉型電動圧縮機。
【請求項８】
前記端子ケースの上面は、十点平均あらさにおいて、２５Ｚ以下で、かつ、平面度において、０．２ｍｍ以下に形成される事を特徴とする請求項５乃至７のいずれかに記載の密閉型電動圧縮機。
【請求項９】
前記端子ケースは、上面の外周に沿って、凸状の突起を有する事を特徴とする請求項５乃至８のいずれかに記載の密閉型電動圧縮機。
【請求項１０】
前記端子ケースには、前記導電端子部から前記電動モータ部に通じるリード線が通るリード線孔が設けられており、
前記所定の微小面積で開口した開口部は、前記リード線孔に前記リード線が通った後に残る開口部であることを特徴とする請求項１に記載の密閉型電動圧縮機。
【請求項１１】
前記端子ケースには、前記導電端子部から前記電動モータ部に通じるリード線が通るリード線孔が設けられており、
前記所定の微小面積で開口した開口部は、前記リード線孔とは別に設けられた開口部であることを特徴とする請求項１に記載の密閉型電動圧縮機。
【発明の詳細な説明】
【技術分野】
【０００１】
本発明は、主として車両に用いられる電動型の冷媒圧縮機に関する。
【背景技術】
【０００２】
従来から、主として車両の空調の為の冷凍サイクル内を循環する冷媒を圧縮する為の電動タイプの圧縮機がある。
【０００３】
この電動圧縮機は、密閉容器内に、冷媒を圧縮する圧縮機部と、この圧縮機部を駆動する電動モータ部とからなり、どちらも密閉型の容器に収容されている。
【０００４】
そして、圧縮機部を駆動する為に回転する電動モータ部の冷却の為に、密閉容器内に流入する冷媒を用いる場合が多い。
【０００５】
この時に流入する冷媒は、冷凍サイクルの上流に位置するエバポレータから気体となった冷媒である。
【０００６】
しかし、例えば冬季などの低温時には、冷凍サイクル内の気体冷媒は凝縮し、液冷媒に状態が遷移する事がある。
【０００７】
一般的に、冷媒は気体状態の時は、導電性が低く抵抗値が高いと言う特徴があるが、液化した冷媒は、導電性が高く抵抗値も低くなる。
【０００８】
また、電動圧縮機は冷凍サイクルを成す他の構成要素よりも下方に設置されていることが多く、冷凍サイクル内で凝縮した液冷媒は電動圧縮機の密閉容器内に流入し、密閉容器内の液冷媒の液面が上昇する。その為、液冷媒が、密閉容器内の導電性部品と接触しないように、様々な手法が用いられている。
【０００９】
その１つとして、液化した冷媒は重力に従って、密閉容器の下方に貯えられるので、密閉容器の上方に導電性部品を配置するように設計した密閉型電動圧縮機がある。
【００１０】
また、別の手法としては、導通性部品を樹脂などで完全にモールドし、防水性を高めた密閉型電動圧縮機もある（例えば、特許文献１）。
【特許文献１】特開平１０−３１８１７３号公報
【発明の開示】
【発明が解決しようとする課題】
【００１１】
しかし、上述した密閉容器内の導電性部品を、密閉容器の底部に貯えられる液冷媒と接触し得ない程の上方向の位置に配置する設計の場合、昨今の小型化の要望に応える事が難しくなる。
【００１２】
また、導電性部品を樹脂などで完全にモールドする場合は、密閉容器に導電性部品を組み付けた状態でモールド処理をせねばならず、手間、工数ともに掛かると言う問題があった。
【００１３】
本発明は、上記の点を鑑みてなされたものである。すなわち冬季などの低温時において冷凍サイクルを成す他の構成要素から電動圧縮機内に液冷媒が流入し、電動圧縮機内の液冷媒の液面が上昇した場合に、簡易な構造でもって液冷媒と導電性部品との接触を防止し、短絡による電動圧縮機の作動停止を防ぐ事が可能な密閉型電動圧縮機を提供する事を目的とする。
【課題を解決するための手段】
【００１４】
請求項１に記載の密閉型電動圧縮機は、密閉容器と、前記密閉型容器内に、冷媒を圧縮する圧縮機部と、前記圧縮機部を駆動する電動モータ部と、前記電動モータ部を前記密閉容器外の電気回路と接続する導電端子部、および前記導電子端部を、耐冷媒性および耐油性のある素材で覆う端子ケースからなる接続部とを収容してなる密閉型電動圧縮機であって、前記端子ケースは、前記密閉容器の内壁に気密に固定されるとともに、前記導電端子部が配置される位置よりも、下方に向かって所定の長さの位置に、前記密閉容器の内部と連通し、所定の微小面積以下の面積で開口した開口部が形成される事を特徴とする。
【００１５】
この発明により、冷凍サイクル内で凝縮した液冷媒が密閉容器内に流入し、密閉容器の底部に徐々に貯えられてその液面が端子ケースに接近しても、端子ケースに形成される所定の微小面積以下の面積で開口した開口部によって、端子ケース内部に液冷媒が侵入しにくくなっているので、液冷媒の液面上昇速度を遅くすることができ、過渡的には端子ケース外部に比べて端子ケース内部の液面を低くすることができる。これにより、導電端子部を実用上問題無く絶縁することができる。したがって、簡易な構造でもって液冷媒と導電端子部との接触を防止し、短絡による電動圧縮機の作動停止を防ぐことが可能となる。
【００１６】
請求項２に記載の密閉型電動圧縮機は、請求項１に記載の密閉型電動圧縮機において、所定の微小面積は端子ケースの内容積に基いて決定され、端子ケース容積１２００ｍｍ３に対して２ｍｍ２以下の微小面積で開口することを特徴とする。
【００１７】
これにより、液冷媒の端子ケース内への流入を確実に阻止するとともに、端子ケースの内外の圧力を同程度に保つことができ、密閉容器を真空引きする際に、端子ケースの内部と外部に大きな圧力差が生じることを防止することができる。
【００１８】
請求項３に記載の密閉型電動圧縮機は、前記開口部は、前記導通端子部の位置よりも、下方に向かって所定の長さの側面に形成される事を特徴とする。
【００１９】
導通端子部とは、密閉容器外の電力供給回路と、電動モータ部とを実質的に接続している箇所の事である。電力供給回路から供給された電力は、この導通端子部を介して、電動モータ部から延びるリード線に伝達されている。
【００２０】
導通端子部は、電動モータ部の略上方に位置している場合が多いので、もし、このリード線に、下方向、すなわち電動モータ部側から下方向にテンションが加われば、導通端子部は実質的な接続が維持出来ず、言わば、抜け落ちる可能性がある。
【００２１】
その為、この発明により、導通端子部と電動モータ部とを接続するリード線が挿通する開口部を、端子ケースの側面に設け、端子ケース側面に設けた開口部に、リード線を挿通する事によって、リード線は、導通端子部の下方向への延長線に対して、略直交するように曲がる。
【００２２】
これにより、リード線に、下方向へのテンションが加わっても導通端子部の実質的な接続を維持し易くする事が可能となる。
【００２３】
請求項４に記載の密閉型電動圧縮機は、前記密閉容器は、前記端子ケースを上方と下方とから挟み込むように形成される事を特徴とする。
【００２４】
この発明により、端子ケースと密閉容器とを固定する手段を別途設ける必要がなくなるので、簡易に端子ケースを固定する事が可能となる。
【００２５】
請求項５に記載の密閉型電動圧縮機は、前記端子ケースの上面と、前記密閉容器の内壁との間に、弾性体を挟み込み、気密に固定する事を特徴とする。
【００２６】
一般的に、密閉容器はアルミで、一方、端子ケースは樹脂で、それぞれ形成されている。
【００２７】
そのため、この２つの部材を直接的に密着しても、密閉容器内壁と端子ケース上面との間の気密性は望ましいものとは言えない。
【００２８】
しかし、密閉容器内壁と、端子ケース上面との間に、弾性体、例えばゴムなどを挟み込むと言う、この発明により、端子ケース内の気密性を確保する事が出来るとともに、液冷媒の液面が、外側から端子ケース上面まで到達しても、端子ケース上面から端子ケース内（導電端子部）への液冷媒の侵入の防止を一層確かな物にする事が可能になる。
【００２９】
請求項６に記載の密閉型電動圧縮機は、前記弾性体に、前記端子ケースを左右方向から挟み込むロック機構が形成される事を特徴とする。
【００３０】
この発明により、弾性体側から端子ケースを気密に固定する事が可能になるので、端子ケースの下面を支えるように密閉容器の内壁を形成する必要がなくなり、簡易に端子ケースを固定する事が可能になる。
【００３１】
請求項７に記載の密閉型電動圧縮機は、前記導電端子部を構成する導通引き出し用のピンに、Ｏリングを挿通し、前記Ｏリングを、前記弾性体と、前記端子ケースとの間の位置に配置する事を特徴とする。
【００３２】
この発明により、端子ケース内の気密性を一層高める事が可能になるとともに、液冷媒が外側から端子ケース上面にまで浸透してきたとしても、導電端子部に挿入されているＯリングによって、液冷媒と導電端子部との接触を防ぐ事が可能となるので、液冷媒による短絡を防ぐ事が可能となる。
【００３３】
請求項８に記載の密閉型電動圧縮機は、前記端子ケースの上面は、十点平均あらさにおいて、２５Ｚ以下で、かつ、平面度において、０．２ｍｍ以下に形成される事を特徴とする。
【００３４】
この発明により、端子ケースの上面と弾性体、または端子ケースの下面と端子ケース用孔の底面との密着性をそれぞれ高める事が出来るので、端子ケース内の気密性をより一層確保する事が可能となる。
【００３５】
請求項９に記載の密閉型電動圧縮機は、前記端子ケースは、上面の外周に沿って、凸状の突起を有する事を特徴とする。
【００３６】
この発明により、液冷媒の液面が上昇し、端子ケース上面にまで液冷媒が浸透しても、端子ケース上面の外周一円に形成された凸状の突起によって、端子ケース内部にまで液冷媒が浸透する事を防ぐ事ができ、端子ケース内の気密性を確保する事が可能になる。
【００３７】
請求項１０に記載の密閉型電動圧縮機は、請求項１に記載の密閉型電動圧縮機において、端子ケースには、導電端子部から電動モータ部に通じるリード線が通るリード線孔が設けられており、所定の微小面積で開口した開口部は、リード線孔にリード線が通った後に残る開口部であることを特徴とする。
【００３８】
これにより、リード線孔を流用して開口部を容易に形成することができる。
【００３９】
尚、請求項１１に記載の密閉型電動圧縮機のように、開口部は、上記のリード線孔とは別に設けられたものとしても良い。
【発明を実施するための最良の形態】
【００４０】
（第一実施形態）
本発明の第一の実施形態にかかる密閉型電動圧縮機１００について図を用いて説明する。図１は本発明の密閉型電動圧縮機１００の構成の概略を示した説明図である。
【００４１】
図１において、１０は密閉型電動圧縮機１００の密閉容器である。この密閉容器１０には、冷媒が流入する冷媒吸入口１１と、圧縮された冷媒が吐出される冷媒吐出口１２とが形成されている。
【００４２】
また、密閉容器１０内には、冷媒吸入口１１から流入する冷媒を圧縮し、冷媒吐出口１２から圧縮した冷媒を吐出する圧縮機部２０と、この圧縮機部２０に冷媒を圧縮する為の動力（回転動力）を発生、伝達している電動モータ部３０と、この電動モータ部３０と、密閉容器１０の外部（通常は密閉容器１０の上部）に配置されるインバータ回路５０とを接続する接続部４０とが収納されている。
【００４３】
そして、この接続部４０を介して電動モータ部３０に整流電圧を供給しているのが、インバータ回路５０であり、主として、上述した密閉容器１０、圧縮機部２０、電動モータ部３０、接続部４０、そしてインバータ回路５０とで密閉型電動圧縮機１００は構成されている。ちなみにこのインバータ回路５０は、請求項で示す電気回路に相当する。
【００４４】
この接続部４０の構造の詳細を示したものが、図２である。
【００４５】
図２に示す接続部４０は、後述する導電端子部４８を覆う樹脂にて構成された端子ケース４２と、この端子ケース４２を固定する基礎となるベースハウジング４３と、ベースハウジング４３を、密閉容器１０に固定する固定ボルト４４と、端子ケース４２と、ベースハウジング４３との間に挟み込み、端子ケース４２の上面側の気密を高める弾性体にて構成される固定ブロックゴム４５と、ベースハウジング４３と、固定ブロックゴム４５との間の気密を高める為に、両者の間に挟み込まれるガスケット４６と、電動モータ部３０から接続部４０まで延びるリード線３１と、インバータ回路５０から接続部４０まで延びるピン５１とを、上下方向で挟み込むように電気的に接続するソケット端子４７とからなる。
【００４６】
上述したリード線３１は、被膜部３１ａとリード部３１ｂとから構成されており、ソケット端子４７にてピン５１と挟み込まれるのは、被膜部３１ａが剥かれ、言わば裸身状態になったリード部３１ｂである。
【００４７】
上述したソケット端子４７にて、ピン５１とリード部３１ｂとを挟み込み、実質的に電気的接続を維持している部位を、導電端子部４８と称する。端子ケース４２は、この導電端子部４８を冷媒その他の侵入による短絡から守る為に、導電端子部４８を覆うように形成されている。また、ベースハウジング４３と固定ブロックゴム４５には、ピン５１の数だけ、ピン５１が挿通されるベースハウジング４３用ピン孔４３ａと、固定ブロックゴム４５用ピン孔４５ａが穿設されている。
【００４８】
ちなみに、この固定ブロックゴム４５は、耐冷媒性に優れるゴム材（例えば、Ｈ−ＮＢＲ等）としており、請求項で示す弾性体に相当する。
【００４９】
上述した端子ケース４２、ベースハウジング４３、固定ボルト４４、固定ブロックゴム４５、ガスケット４６は、密閉容器１０に穿設された専用の収容孔４１に収容されている。収容孔４１が穿設されただけの密閉容器１０の断面を示す説明図を図３に示す。
【００５０】
図３に示す収容孔４１は、密閉容器１０の外側から内側へと、３段階に内径が小さい孔となる構造になっており、一番外側に位置する、内径が最大のベースハウジング４３用孔４１ａは、上述したベースハウジング４３が収容される孔である。
【００５１】
そして、ベースハウジング４３用孔４１ａと、その直下にて連通し、ベースハウジング４３用孔４１ａよりも、内径が小さい端子ケース４２用孔４１ｂには、固定ブロックゴム４５と、端子ケース４２とが収容される。
【００５２】
また、端子ケース４２用孔４１ｂの直下には、端子ケース４２用孔４１ｂよりも内径が小さい、リード線３１用孔４１ｃが、端子ケース４２用孔４１ｂと連通するように設けられている。
【００５３】
このリード線３１用孔４１ｃは、上述したリード線３１が収容される為だけに設けられるものではなく、端子ケース４２用孔４１ｂに収容される固定ブロックゴム４５と、端子ケース４２とが、重力に従って、端子ケース４２用孔４１ｂから落下しないように、固定ブロックゴム４５と、端子ケース４２とを支える為に、端子ケース４２用孔４１ｂよりも内径の小さい孔として設けられている。
【００５４】
図２において、上述した端子ケース４２には、その下面４２βにリード線３１を端子ケース４２内に進入させるとともに、密閉容器１０内部と連通させる為の端子ケース孔４９が設けられている。
【００５５】
この端子ケース孔４９は、リード線３１を通す事によって気密される訳ではなく、リード線３１を通した後も端子ケース４２の内外の気圧を同程度に保つ程度の大きさ（具体的には端子ケース容積１２００ｍｍ３に対して１ｍｍ２〜２ｍｍ２程度の微小面積）の開口面積が残されている。この端子ケース孔４９の残された開口部が請求項で示す開口部に相当する。
【００５６】
また、端子ケース４２の上面４２αは、固定ブロックゴム４５と密着する事で端子ケース４２内の気密性を保っているが、この端子ケース４２の上面４２αの表面粗さは、十点平均あらさ法において、略２５ｚ以下で、かつ平面度は０．２ｍｍ以下である事が好適である。
【００５７】
上述した表面粗さと平面度とを備える端子ケース４２の上面４２αであれば、固定ブロックゴム４５との間で、高い気密性を維持する密着が可能となる。
【００５８】
上述した構成の接続部４０を備える密閉型電動圧縮機１００において、例えば低温時、冷凍サイクルを成す他の構成要素内の冷媒が、凝縮し、液冷媒と化し、密閉容器１０内に流入して密閉容器１０の底部に貯えられ、その液冷媒の液面が接続部４０にまで到達し、端子ケース４２が液冷媒の液面に浸漬しても、端子ケース４２の上面４２αは、固定ブロックゴム４５、ガスケット４６、そしてベースハウジング４３にて気密されているので、液冷媒が、端子ケース４２の上面４２αから侵入する事は難しい。
【００５９】
そして、端子ケース４２には、端子ケース孔４９以外に液冷媒の侵入口が設けられていない事から、微小面積に開口した端子ケース孔４９の絞り作用によって、液冷媒は端子ケース４２内には侵入し難い。
【００６０】
このため、端子ケース４２の外側に比べ、端子ケース４２の内側は液冷媒の液面の上昇速度が遅く、液冷媒の液面が導電端子部４８に接触する位置までの時間を遅らせることが可能となる。液冷媒の液面上昇によって導電端子部４８が短絡することで発生する絶縁不良が問題となるのは冬季において特に気温が低くなる夜間である。
【００６１】
従って、端子ケース４２内の導通端子部４８を、端子ケース孔４９から侵入した液冷媒の液面が一晩かけて上昇するであろうと予想される位置よりも、当初から上方に配置する、言い換えれば、端子ケース孔４９を、導電端子部４８よりも、所定の長さ分だけ下方向の位置に形成する事で、液冷媒と導通端子部４８との接触を防ぐ事が可能となり、密閉型電動圧縮機１００の短絡を防止する事が可能となる。
【００６２】
（第二実施形態）
上述した第一実施形態では、電動モータ部３０から接続部４０に到達するリード線３１は、略上下方向に配線されていた。
【００６３】
しかし、この構成では、例えば接続部４０よりも下方にて、リード線３１に、下方向へのテンションが掛かると、そのテンションは直接的にソケット端子４７に掛かり、リード部３１ｂとピン５１とを挟み込むようにして電気的接続をなしているソケット端子４７は、下方向から掛かるそのテンションによって、その挟み込み構成を維持できなくなり、電気的接続が断線してしまう可能性がある。
【００６４】
その為、図４に示すように、端子ケース４２の側面４２γに端子ケース孔４９を穿設しても良い。
【００６５】
この図４では、端子ケース孔４９が端子ケース４２の側面４２γに穿設されているので、ここを通って電動モータ部３０へ至るリード線３１は、端子ケース４２の下面４２βにて略９０度曲がる事になる。
【００６６】
リード線３１が、導電端子部４８の手前で略９０度曲がっているので、もし、リード線３０が下方に向かってテンションが掛かっても、そのテンションによってソケット端子４７の挟み込み構造が損なわれる可能性は少なくなる。
【００６７】
もちろん、端子ケース４２の側面４２γに穿設された端子ケース孔４９の穿設位置は、導通端子部４８よりも、下方向に所定の長さ分離れた位置である。
【００６８】
（第三実施形態）
上述した第一、第二実施形態で示す構成では、固定ブロックゴム４５と、端子ケース４２とが、重力に従って端子ケース４２用孔４１ｂから落下しないように、端子ケース４２用孔４１ｂよりも内径の小さいリード線３１用孔４１ｃが連通して設けられている。
【００６９】
この為、密閉容器１０に穿設される収容孔４１は、内径の異なる３つの孔として形成しなければならず、加工上、手間である。
【００７０】
そこで、固定ブロックゴム４５に、端子ケース４２を左右方向から挟み込む事が出来るロック機構４５ｂを設け、このロック機構４５ｂで端子ケース４２の落下を防ぎ、リード線３１用孔４１ｃを形成する必要をなくし、収容孔４１の加工の手間を減らしても良い。
【００７１】
図５に、ロック機構４５ｂを設けた固定ブロックゴム４５にて構成される接続部４０の説明図を示す。
【００７２】
固定ブロックゴム４５のロック機構４５ｂによって、端子ケース４２と気密に密着する事が可能になるとともに、端子ケース４２が、下方への落下を防止する事が可能になるので、端子ケース４２用孔４１ｂよりも小さな内径の孔を端子ケース４２用孔４１ｂの直下に設ける必要がなくなり、収容孔４１の加工を簡易にする事が可能になる。
【００７３】
（第四実施形態）
上述した各実施形態に用いる端子ケース４２の上面４２αは、固定ブロックゴム４５と気密に密着している。
【００７４】
また、端子ケース４２の下面４２βは、固定ブロックゴム４５にロック機構４５ｂが設けられているか否かによって、端子ケース４２用孔４１ｂの底面と気密に密着するか否かが別れる。
【００７５】
本実施形態では、固定ブロックゴム４５にロック機構４５ｂが設けられておらず、端子ケース４２の落下を防ぐ為に、端子ケース４２用孔４１ｂの直下に連通したリード線３１用孔４１ｃが設けられている収容孔４１に収容される接続部４０について、提案する。
【００７６】
端子ケース４２の上面４２αの、外周一円に、輪状の突起を形成する事で、端子ケース４２の上面４２αと、固定ブロックゴム４５との密着性を向上させる事が可能となる。
【００７７】
図６に、上面４２αの外周一円に、輪状に形成された突起４２ａを設けた端子ケース４２にて構成される接続部４０の説明図を示す。
【００７８】
図６は、液冷媒の液面が、端子ケース孔４９を侵入した所を示しているが、液冷媒の液圧が上昇すると、端子ケース４２の側面４２γと、端子ケース４２用孔４１ｂとの接合面、すなわち端子ケース４２の外側から液冷媒が上方に向かって浸透する事が考えられる。
【００７９】
もし、液冷媒が、端子ケース４２の上面４２αにまで到達したとしても、端子ケース４２の上面４２αに設けられた突起４２ａにより、液冷媒が端子ケース４２内に侵入する事を防ぐ事が可能となる。
【００８０】
上述した、端子ケース４２の上面４２αに設けられる突起４２ａは、一重の輪状として示したが、これに限るものではなく、同心円に何十に突起を設けても良い。
【００８１】
（第五実施形態）
上述した各実施形態で示す接続部４０の気密性を更に高める手法として、固定ブロックゴム４５を貫通するピン５１に対し、Ｏリング５１ａを挿入し、そのＯリング５１ａを固定ブロックゴム４５と、端子ケース４２との間に位置するように、配置しても良い。
【００８２】
図７に、Ｏリング５１ａにピン５１を挿入し、Ｏリング５１ａを固定ブロックゴム４５と、端子ケース４２との間に配置した接続部４０の説明図を示す。
【００８３】
液冷媒が、固定ブロックゴム４５と、端子ケース４２の上面４２αとの間にまで浸透すると、それ以上の浸透を防ぐのは、固定ブロック４５と、端子ケース４２との密着性以外存在しない。
【００８４】
その為に、予めＯリング５１ａにピン５１を挿入し、このＯリング５１ａを固定ブロックゴム４５と、端子ケース４２との間に位置するように配置する事で、端子ケース４２内の気密性を更に高める事が可能になるとともに、固定ブロックゴム４５と、端子ケース４２の上面４２αの接合面にまで液冷媒が浸透しても、液冷媒とピン５１とが接触し、密閉型電動圧縮機１００が短絡状態になる事を防ぐ事が可能となる。
【００８５】
（第六実施形態）
上述した第一から第五実施形態では、固定ブロックゴム４５は、端子ケース４２の上面４２α全体に密着して端子ケース４２内の気密性を保持するものとしたが、これに限らず、図８に示すように、各ピン５１が挿通されて、各導電端子部４８およびその外側領域にそれぞれ密着されるチューブ状のものとしても良い。
【００８６】
（他の実施形態）
上述した第一から第六実施形態では、請求項で示す開口部として、リード線３１を通した後に端子ケース孔４９に残される開口部を例に挙げたが、本発明はこれに限定されるものではなく、図９に示すように、リード線３１が通ることで完全に塞がれる大きさのリード線孔を専用に設け、このリード線孔とは別に、請求項で示す開口部（４９ａ）を端子ケース容積１２００ｍｍ３に対して１ｍｍ２〜２ｍｍ２程度の微小面積と成るように設けるようにしても良い。
【図面の簡単な説明】
【００８７】
【図１】密閉型電動圧縮機１００の構成の概略を示す説明図である。
【図２】本発明の第一実施形態における接続部４０の構成の概略を示す説明図である。
【図３】本発明の第一実施形態における密閉型電動圧縮機１００の密閉容器１０に設けられた収容孔４１を示す説明図である。
【図４】本発明の第二実施形態における接続部４０の構成の概略を示す説明図である。
【図５】本発明の第三実施形態における接続部４０の構成の概略を示す説明図である。
【図６】本発明の第四実施形態における接続部４０の構成の概略を示す説明図である。
【図７】本発明の第五実施形態における接続部４０の構成の概略を示す説明図である。
【図８】本発明の第六実施形態における接続部４０の構成の概略を示す説明図である。
【図９】本発明のその他の実施形態における接続部４０の構成の概略を示す説明図である。
【符号の説明】
【００８８】
１０  密閉容器
１１  冷媒吸入口
１２  冷媒吐出口
２０  圧縮機部
３０  電動モータ部
３１  リード線
４０  接続部
４１  収容孔
４２  端子ケース
４２α  上面
４２γ  側面
４２ａ  突起
４３  ベースハウジング
４４  固定ボルト
４５  固定ブロックゴム（弾性体）
４５ｂ  ロック機構
４６  ガスケット
４７  ソケット端子
４８  導電端子部
４９  端子ケース孔（開口部）
５０  インバータ回路（電気回路）
５１  ピン
５１ａ  Ｏリング
１００  密閉型電動圧縮機
【図１】
2005023934.tif 000003
【図２】
2005023934.tif 000004
【図３】
2005023934.tif 000005
【図４】
2005023934.tif 000006
【図５】
2005023934.tif 000007
【図６】
2005023934.tif 000008
【図７】
2005023934.tif 000009
【図８】
2005023934.tif 000010
【図９】
2005023934.tif 000011